(57)【要約】【課題】無線の不感地帯での通信障害を解消しつつ、地区ごとでのグループ通話を可能にする。【解決手段】携帯電話パケット通信網を利用した無線システムにおいて、移動局３は、自局の位置を検出し位置情報をパケット化して、通信ネットワークを介して指令局２に送信し、指令局２は、移動局３から受信した位置情報に基づいて、全域を区分けした地区ごとに、この地区内に位置する移動局３を割り当ててグループ化するグループ化タスク２１２と、指定されたグループに属する全移動局３に対するグループデータパケットを送信するプッシュトークマイク２３と、を備える。【選択図】  図１
2013251844.tif 000002
【特許請求の範囲】
【請求項１】
指令局と通信制御事業所設備とがインターネットもしくは専用線で接続され、前記通信制御事業所設備と携帯電話網とがインターネットもしくは専用線で接続され、さらに、前記携帯電話網と移動局とが無線通信網で接続されて通信ネットワークが形成され、前記指令局と前記移動局とは、それぞれのＩＰアドレスを有し、それぞれが作成した音声データを含むデータをパケット化して前記通信制御事業所設備に送信し、前記通信制御事業所設備は、受信したデータパケットを、このデータに付されたＩＰアドレスに従って前記通信ネットワークを介して前記移動局もしくは前記指令局に送信する無線通信システムにおいて、
前記移動局は、自局の位置を検出する位置検出手段を備え、自局の位置を含む移動局情報をパケット化して、前記通信ネットワークを介して前記指令局に送信し、
前記指令局は、前記移動局から受信した移動局情報に基づいて、全域を区分けした地区ごとに、該地区内に位置する移動局を割り当ててグループ化するグループ化手段と、
指定されたグループに属する全移動局に対するグループデータパケットを送信する第１の呼出手段と、を備える、
ことを特徴とする無線通信システム。
【請求項２】
前記移動局は、自局のグループに属する全移動局に対するグループデータパケットを送信する第２の呼出手段を備える、
ことを特徴とする請求項１に記載の無線通信システム。
【請求項３】
前記移動局は、前記グループデータパケットあるいは一斉同報通信の呼び出し元にのみ応答し個別通話する旨の応答データパケットを送信する応答手段を備え、また、グループ通話のままでの応答も選択可能となっている、
ことを特徴とする請求項１または２のいずれか１項に記載の無線通信システム。
【発明の詳細な説明】
【技術分野】
【０００１】
この発明は、業務用無線やＭＣＡ無線における不感地帯での通信障害を解消するために、携帯電話のパケット通信網を利用した無線通信システムに関し、特に、同一地区内でのグループ通話（地区同報グループ通話）を可能にする無線通信システムに関する。
【背景技術】
【０００２】
運送や物流、タクシー業界などでは、一般に業務用無線を利用して、指令局と移動局との通話や移動局同士の通話が行われている。また、業務用無線を利用できないエリアで運用する場合には、ＭＣＡ（Ｍｕｌｔｉ−Ｃｈａｎｎｅｌ  Ａｃｃｅｓｓ）無線が利用されている。しかしながら、業務用無線やＭＣＡ無線は、サービスエリアが携帯電話よりも狭く、営業範囲が広い事業者では、音声通話に支障をきたす場合がある。このため、業務用無線やＭＣＡ無線における不感地帯での通信障害を解消するために、携帯電話のパケット通信網を利用したシステムが知られている（例えば、特許文献１等参照。）。
【０００３】
このシステムは、通信所（指令局）と通信制御事業所とがインターネットもしくは専用線で接続され、通信制御事業所と携帯電話網とがインターネットもしくは専用線で接続され、さらに、携帯電話網と移動局とが無線通信網で接続されて、通信ネットワークが形成されている。そして、通信所および複数の移動局は、それぞれのＩＰアドレスを有し、それぞれが作成した音声データおよび少なくとも車両位置情報を含む車両データをデジタル化、パケット化して、一斉同報通信もしくは個別通信にて、通信制御事業所に送信する。また、通信制御事業所は、受信したデータパケットを、このデータに付されたＩＰアドレスに従って通信ネットワークを介して移動局もしくは通信所に送信するものである。
【先行技術文献】
【特許文献】
【０００４】
【特許文献１】実用新案登録第３１６４３５５号公報
【発明の概要】
【発明が解決しようとする課題】
【０００５】
ところで、運送や物流、タクシー業界などでは、同じ地区に位置する複数の移動局・車両に対して一斉通報を行いたい場合や、同じ地区内の移動局同士で通話を行いたい場合がある。しかしながら、上記特許文献１のシステムでは、全域の移動局に対して一斉同報通信ができるのみであって、特定の地区内の移動局に対する一斉通報などを行うことができない。しかも、常に全域に対する一斉同報通信を行う必要があるため、音声データパケット量が多く、通信費がかさんでしまう。
【０００６】
そこでこの発明は、不感地帯での通信障害を解消しつつ、地区ごとでのグループ通話（地区同報グループ通話）が可能な無線通信システムを提供することを目的とする。
【課題を解決するための手段】
【０００７】
上記目的を達成するために請求項１に記載の発明は、指令局と通信制御事業所設備とがインターネットもしくは専用線で接続され、前記通信制御事業所設備と携帯電話網とがインターネットもしくは専用線で接続され、さらに、前記携帯電話網と移動局とが無線通信網で接続されて通信ネットワークが形成され、前記指令局と前記移動局とは、それぞれのＩＰアドレスを有し、それぞれが作成した音声データを含むデータをパケット化して前記通信制御事業所設備に送信し、前記通信制御事業所設備は、受信したデータパケットを、このデータに付されたＩＰアドレスに従って前記通信ネットワークを介して前記移動局もしくは前記指令局に送信する無線通信システムにおいて、前記移動局は、自局の位置を検出する位置検出手段を備え、自局の位置を含む移動局情報をパケット化して、前記通信ネットワークを介して前記指令局に送信し、前記指令局は、前記移動局から受信した移動局情報に基づいて、全域を区分けした地区ごとに、該地区内に位置する移動局を割り当ててグループ化するグループ化手段と、指定されたグループに属する全移動局に対するグループデータパケットを送信する第１の呼出手段と、を備える、ことを特徴とする。
【０００８】
この発明によれば、移動局の位置検出手段によって、自局の位置が検出されて移動局情報が指令局に送信され、指令局のグループ化手段によって、移動局からの移動局情報（移動局の位置）に基づいて、各地区内に位置する移動局が割り当てられグループ化される。また、指令局の第１の呼出手段によって、指定されたグループ内の全移動局に対するグループデータパケットが送信されると、通信制御事業所設備によって、受信したデータパケットが通信ネットワークを介して、該当グループ（データパケットに付されたＩＰアドレス）の全移動局に送信される。
【０００９】
請求項２に記載の発明は、請求項１に記載の無線通信システムにおいて、前記移動局は、自局のグループに属する全移動局に対するグループデータパケットを送信する第２の呼出手段を備える、ことを特徴とする。
【００１０】
この発明によれば、移動局の第２の呼出手段によって、自局のグループ内の全移動局に対するグループデータパケットが送信されると、通信制御事業所設備によって、受信したデータパケットが通信ネットワークを介して、このグループの全移動局に送信される。
【００１１】
請求項３に記載の発明は、請求項１または２に記載の無線通信システムにおいて、前記移動局は、前記グループデータパケットあるいは一斉同報通信の呼び出し元にのみ応答し個別通話する旨の応答データパケットを送信する応答手段を備え、また、グループ通話のままでの応答も選択可能となっている、ことを特徴とする。
【００１２】
この発明によれば、移動局の応答手段によって応答データパケットが送信されると、通信制御事業所設備によって、受信した応答データパケットが通信ネットワークを介して、グループデータパケットの送信元である指令局または移動局に送信される。
【発明の効果】
【００１３】
請求項１に記載の発明によれば、携帯電話のパケット通信網を利用するため、無線の不感地帯での通信障害を解消することができるとともに、地区ごとでのグループ通話（地区同報グループ通話）が可能となる。すなわち、指令局のグループ化手段によって、各移動局の位置に基づいて自動的にグループ化され、指令局からグループデータパケットが送信されると（例えば、グループ呼び出しがされると）、指定されたグループの全移動局にデータパケット（呼び出し）が送信されて、グループ通話が可能となる。そして、このようなグループ通話が可能となるため、不必要な一斉通信を少なくして、音声データパケット量を抑制し、通信費を低減することが可能となる。
【００１４】
請求項２に記載の発明によれば、請求項１と同様に、移動局からのグループデータパケットの送信によって、グループ通話が可能となり、移動局の事情・必要性に応じたグループ内での同報通話が可能となる。
【００１５】
請求項３に記載の発明によれば、移動局からの応答データパケットが、グループデータパケットの送信元（呼び出し元）である指令局や移動局、および、通信制御事業所設備の通信制御コンピュータに送信されるため、呼び出し元の移動局あるいは指令局と呼び出し先の移動局の個別通話への移行が可能となる。このため、不必要な一斉通信、グループ通話を少なくして、音声データパケット量を抑制し、通信費を低減することが可能となる。
【図面の簡単な説明】
【００１６】
【図１】この発明の実施の形態に係る無線通信システムを示す構成図である。
【図２】図１の無線通信システムの動作・作用を示すタイミングチャートである。
【発明を実施するための形態】
【００１７】
以下、この発明を図示の実施の形態に基づいて説明する。
【００１８】
図１は、この発明の実施の形態に係る無線通信システム１を示す構成図である。この無線通信システム１は、携帯電話パケット通信網を利用した業務用無線機システムであり、後述する地区同報グループ通話機能を除いて、従来のシステムと同等の構成、機能となっているため、詳細な説明を省略するが、概略次のような基本構成等となっている。
【００１９】
すなわち、個々の業者が運営する指令局（通信所）２と、この業者に所属する複数の移動局３との間に、通信制御事業者が運営する通信制御事業所の通信制御事業所設備４と携帯通信網事業者が運営する既設の携帯電話網５とが設けられている。そして、指令局２と通信制御事業所設備４とがインターネットもしくは専用線７を介して通信可能に接続され、通信制御事業所設備４と携帯電話網５とがインターネットもしくは専用線７を介して通信可能に接続され、さらに、携帯電話網５と各移動局３とが無線通信網８を介して無線通信可能に接続されて、通信ネットワークが形成されている。
【００２０】
指令局２と各移動局３とには、それぞれ固有のＩＰアドレスが割り当てられ、それぞれが作成した音声データを含むデータをデジタル化、パケット化して、一斉同報通信もしくは個別通信にて、通信ネットワークを介して通信制御事業所設備４に送信する。このとき、データパケットには、送信元のＩＰアドレスとともに、送信先（通信制御事業所設備４内の通信制御コンピュータ）のＩＰアドレス、および、送信先の車番号、あるいは、グループ番号が付されている。そして、通信制御事業所設備４が、受信したデータパケットを、このデータに付された送信先の車番号、あるいは、グループ番号に従って送信先のＩＰアドレスを特定し、通信ネットワークを介して送信先のＩＰアドレスが付与された移動局３または指令局２に送信する。つまり、ＩＰアドレスに基づいてデータパケットを送受信することで、音声データなどを通話相手と送受信するものであり、後述する地区同報グループ通話においても同様である。
【００２１】
このような基本機能を達成するために、指令局２は、指令局コンピュータ２１とルータ２２とプッシュトークマイク（第１の呼出手段）２３とスピーカ２４などを備え、各移動局３は、携帯電話網無線処理部３１やスピーカマイクセット３２などを備えている。また、通信制御事業所設備４は、ルータ４１、４２と通信制御コンピュータ４３とを備え、携帯電話網５は、基地局管理センター（管理センタ設備）５１と複数の携帯基地局５２とを備えている。
【００２２】
次に、地区同報グループ通話機能について説明する。まず、各移動局３は、ＧＰＳ（Ｇｌｏｂａｌ  Ｐｏｓｉｔｉｏｎｉｎｇ  Ｓｙｓｔｅｍ）アンテナ部３３１とＧＰＳ受信部３３２とを有し、衛星からの電波を受信して、受信した電波に基づいて処理部３４によって自局の現在位置（緯度、経度）を演算・検出するようになっている。つまり、ＧＰＳアンテナ部３３１とＧＰＳ受信部３３２と処理部３４とによって、位置検出手段が構成されている。
【００２３】
また、この実施の形態では、演算した現在位置が、前回の送信時よりも所定距離以上移動した場合に、自局の現在位置を含む移動局情報をパケット化して、通信ネットワークを介して指令局２に送信するようになっている。つまり、現在位置が所定距離以上変更する度に、移動局情報と指令局２の車番号とを含むデータパケットを携帯電話網５に対して送信することで、携帯電話網５、インターネットもしくは専用線７、通信制御事業所設備４およびインターネットもしくは専用線７を介して、指令局２に送信されるようになっている。
【００２４】
このように、現在位置が所定距離以上変更する度に、現在位置を指令局２に送信することで、現在位置の変更に係らず定期的に送信する場合に比べて、パケット通信を抑制することができるものである。さらに、移動局３が運行開始すると、現在位置を含む移動局情報をパケット化して、指令局２に送信するようになっている。
【００２５】
また、移動局３のスピーカマイクセット３２は、プッシュトークスイッチ（第２の呼出手段）３２１と応答スイッチ（応答手段）３２２とを備えている。プッシュトークスイッチ３２１は、複数のボタンを備え、所定のボタン（グループボタン）が押下されると、自局のグループに属する全移動局３に対するグループデータパケットを送信するようになっている。
【００２６】
すなわち、後述するように全域が複数の地区に区分けられ、同一地区内に位置する移動局３が同一グループとされ、所定のボタンが押下されると、自局と同じグループに属する全移動局３を呼び出し通話する旨のグループデータパケットが、通信ネットワークを介して通信制御事業所設備４に送信されるようになっている。ここで、グループデータパケットには、送信元（呼び出し元）の移動局３のＩＰアドレスと音声データと通信制御事業所設備４内の通信制御コンピュータのＩＰアドレスとともに、送信先（呼び出し先）の地区同報グループ通話であることを示すグループ番号が含まれている。そして、このグループ番号を受けることで、後述するように通信制御事業所設備４によって、送信元の移動局３と同じグループの全ＩＰアドレスに対してデータパケットが送信されるものである。
【００２７】
応答スイッチ３２２は、グループデータパケットに応答する旨の応答データパケットを送信するスイッチである。すなわち、グループ呼び出し中にこの応答スイッチ３２２が押下されると、応答データパケットを通信制御事業所設備４に送信するようになっている。ここで、応答データパケットには、送信元の（応答する）移動局３のＩＰアドレスと通信制御事業所設備４内の通信制御コンピュータのＩＰアドレスと、送信先（呼び出し先）のグループ番号が含まれている。そして、この応答データパケットを受けることで、後述するように通信制御事業所設備４によって、グループデータパケットの送信元（呼び出し元）の指令局２または移動局３と、この応答した移動局３とが接続されるものである。
【００２８】
指令局２の指令局コンピュータ２１は、地区設定部２１１と、グループ化タスク（グループ化手段）２１２とを備えている。地区設定部２１１は、運用対象の全域を複数の地区に区分けするタスク・プログラムであり、表示部２１４に全域を表示し、画面上で指示された境界線に基づいて区分けしたり、入力された地区名（市町村名など）に従って区分けしたりする。また、区分けされた各地区の緯度、経度範囲が、地区メモリ（図示せず）に記憶されるようになっている。
【００２９】
グループ化タスク２１２は、各移動局３から受信した移動局情報に基づいて、地区ごとに、この地区内に位置・存在する移動局３を割り当ててグループ化するタスク・プログラムである。すなわち、上記のように、まず移動局３が運行開始されて、現在位置・移動局情報を受信すると、このグループ化タスク２１２が起動され、地区メモリに基づいて、受信した移動局３の緯度、経度を含む地区を割り出す。そして、グループ記憶部（メモリ）２１３におけるこの地区の移動局リストに、この移動局３の車番号（識別情報）を登録・記憶することで、移動局３をグループ化する。
【００３０】
その後、上記のように、現在位置が所定距離以上変更して、移動局３から現在位置を受信すると、グループ化タスク２１２が起動され、同様にして、現在位置の緯度、経度を含む地区を割り出して、この地区の移動局リストに車番号を登録する。この際、地区が変わった場合には、先の地区の移動局リストからこの移動局３の車番号を削除する。このように、現在位置が所定距離以上変更する度に地区が割り出され、グループが見直し更新されるため、移動局３の最新位置に従ったグループ化が行われるものである。
【００３１】
また、グループ化された結果は、通信制御事業所設備４に送信されるようになっている。すなわち、グループ化タスク２１２が起動されてグループ記憶部２１３に車番号が登録されると（グループ記憶部２１３がアクセスされると）、グループ記憶部２１３に記憶されているデータ・移動局リストを通信制御事業所設備４に送信する。これにより、通信制御事業所設備４において最新のグループが把握できるようになっている。
【００３２】
プッシュトークマイク２３は、複数のボタンを備え、あるグループボタンが押下されると、そのグループに属する全移動局３に対するグループデータパケットを送信するようになっている。すなわち、押下されたグループに属する全移動局３を呼び出し通話する旨のグループデータパケットが、通信ネットワークを介して通信制御事業所設備４に送信されるようになっている。
【００３３】
ここで、グループデータパケットには、送信元（指令局２）のＩＰアドレスと音声データと通信制御事業所設備４内の通信制御コンピュータのＩＰアドレスとともに、送信先として、指定されたグループの地区同報グループ通話であることを示す、予め定められたグループ番号が含まれている。そして、このグループ番号を受けることで、通信制御事業所設備４によって、このグループのすべての移動局３のＩＰアドレスに対してデータパケットが送信されるものである。これに対して、グループ記憶部２１３からこのグループ内の全車番号を取得して、この全車番号を送信先の車番号として、グループデータパケットに含めるようにしてもよい。
【００３４】
次に、このような構成の無線通信システム１の作用などについて、図２に基づいて説明する。ここで、一斉同報通信や個別通信については従来と同等であるため、主として地区同報グループ通話について説明する。
【００３５】
まず、各移動局３が運行開始したり所定距離以上移動したりして、上記のように、移動局情報を含むデータパケットが各移動局３から指令局２に送信されると、グループ化タスク２１２が起動されて各移動局３が適宜グループ化され、その結果が通信制御事業所設備４に送信される。このような状態で、指令局２の指令者がプッシュトークマイク２３のあるグループボタンを押下すると、上記のように、そのグループに対するグループデータパケット（グループ呼び出し）が通信制御事業所設備４に送信される（ステップＳ１）。
【００３６】
これを受けて通信制御事業所設備４によって、このグループに属する（所定地区に位置する）全移動局３に対してデータパケットが送信され（ステップＳ２）、指令局２から各移動局３に対する呼び出し通話が行われる。ここで、呼び出し通話の際には、通常の一斉同報通信と同様に、送信先のＩＰアドレスと音声データとを含むデータパケットが逐次送信される。
【００３７】
次に、このようなグループ呼び出し中に、ある移動局３の乗務員が応答スイッチ３２２を押下すると、上記のようにして応答データパケットが通信制御事業所設備４に送信される（ステップＳ３）。これを受けて通信制御事業所設備４によって、指令局２に応答データパケットが送信されて、この移動局３と指令局２とが通話状態となる（ステップＳ４）。すなわち、応答した移動局３と指令局２とにおいて、お互いの車番号を送信先として通信制御事業所設備４の制御によって個別通信が行われ、他の移動局３に対してはデータパケットが送信されない。また、図示していないが、このようなグループ呼び出し中に、ある移動局３の乗務員がプッショトークスイッチ３２１を押下すると、グループ通話での応答として応答データパケットが通信制御事業所設備４に送信される。そして、この移動局３と同じグループの（同地区に位置する）全移動局３に対してデータパケットが送信され、呼び出し先の移動局３から各移動局３に対するグループ通話が行われる。
【００３８】
一方、ある移動局３の乗務員がプッシュトークスイッチ３２１のグループボタンを押下すると、上記のように、グループデータパケット（グループ呼び出し）が通信制御事業所設備４に送信される（ステップＳ１１）。これを受けて通信制御事業所設備４によって、この移動局３と同じグループの（同地区に位置する）全移動局３に対してデータパケットが送信され（ステップＳ１２）、呼び出し元の移動局３から各移動局３に対する呼び出し通話が行われる。
【００３９】
次に、このようなグループ呼び出し中に、ある移動局３の乗務員が応答スイッチ３２２を押下すると、上記のようにして応答データパケットが通信制御事業所設備４に送信される（ステップＳ１３）。これを受けて通信制御事業所設備４によって、呼び出し元の移動局３に応答データパケットが送信されて、呼び出した移動局３と応答した移動局３とが通話状態となる（ステップＳ１４）。すなわち、両移動局３間において、お互いの車番号を送信先として通信制御事業所設備４の制御によって個別通信が行われ、他の移動局３に対してはデータパケットが送信されない。また、図示していないが、このようなグループ呼び出し中に、ある移動局３の乗務員がプッショトークスイッチ３２１を押下すると、グループ通話での応答として応答データパケットが通信制御事業所設備４に送信される。そして、この移動局３と同じグループの（同地区に位置する）全移動局３に対してデータパケットが送信され、呼び出し先の移動局３から各移動局３に対するグループ通話が行われる。
【００４０】
以上のように、この無線通信システム１によれば、携帯電話のパケット通信網を利用するため、無線の不感地帯での通信障害を解消することができるとともに、地区ごとでのグループ通話（地区同報グループ通話）を行うことができる。このため、全域に対する一斉通信を行う必要が少なくなり、音声データパケット量を抑制して、通信費を低減することが可能となる。
【００４１】
また、指令局２からのみでなく、移動局３からもグループ通話を行えるため、各移動局３の事情・必要性に応じたグループ内での同報通話が可能となる。さらに、グループ呼び出しを受けた移動局３が応答スイッチ３２２の押下で応答することで、指令局２と移動局３または移動局３同士の個別通話を行うことができ、全域に対するグループ通話、あるいは、一斉通信を行う必要が少なくなり、音声データパケット量を抑制して、通信費を低減することが可能となる。また、グループ呼び出しを受けた移動局３がプッショトークスイッチ３２１を押すことでグループ通話のままで応答することも選択でき、利便性が高まる。
【００４２】
一方、各移動局３の位置に基づいて自動的にグループ化されるため、各地区に位置する移動局３に対して、容易かつ適正にグループ呼び出し、通話を行うことができる。しかも、移動局３が所定距離以上移動する度にグループ化が行われるため、各移動局３の最新位置に基づいたより適正なグループ呼び出し、通話を行うことができる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、移動局３から現在位置を受信する度にグループ化タスク２１２を起動してグループ化しているが、各移動局３から受信した現在位置をメモリに記憶、更新し、定期的・所定期にグループ化タスク２１２を起動して、全移動局３に対するグループ化を行うようにしてもよい。
【００４４】
また、上記の実施の形態では、通信制御事業所設備４で最新のグループが把握され、移動局３からのグループ呼び出しの際に、通信制御事業所設備４から全移動局３に対してデータパケットを送信しているが、指令局２を介してデータパケットを送信するようにしてもよい。すなわち、移動局３からグループ呼び出しがあった場合に、通信制御事業所設備４を介して指令局２に通知し、指令局２によって、該当グループ内の全ＩＰアドレスを送信先のＩＰアドレスとして、移動局３からのグループ呼び出しである旨のグループデータパケットを通信制御事業所設備４に送信する。そして、これを受けて通信制御事業所設備４において、呼び出し元の移動局３と同グループ内の移動局３とを接続するようにしてもよい。これにより、通信制御事業所設備４にグループ記憶部２１３のデータを備える必要がなくなる。
【符号の説明】
【００４５】
１        無線通信システム
２        指令局
２１１    地区設定部
２１２    グループ化タスク（グループ化手段）
２１３    グループ記憶部
２３      プッシュトークマイク（第１の呼出手段）
３        移動局
３２１    プッシュトークスイッチ（第２の呼出手段）
３２２    応答スイッチ（応答手段）
３３１    ＧＰＳアンテナ部（位置検出手段）
３３２    ＧＰＳ受信部（位置検出手段）
３４      処理部（位置検出手段）
４        通信制御事業所設備
５        携帯電話網
５２      携帯基地局
７        インターネットもしくは専用線
８        無線通信網
【図１】
2013251844.tif 000003
【図２】
2013251844.tif 000004